(57)【要約】【課題】  予め設定された自己の暗証番号を通知することなく、不意の訪問者等がアンロック可能にするドアロック操作方法およびドアロックシステムを提供する。【解決手段】  ドアロックシステム１０は、アンテナ１１、送受信部１２、制御部（ＣＰＵ）１３、暗証番号メモリ１５、時計１６、キーロック部（ドアロック）１７および暗証番号入力部１８を備える。暗証番号メモリ１５には、自己が通常使用する通常暗証番号に加えて不意の訪問者のための仮暗証番号がその条件（有効期限）と共に記憶されている。不意の訪問者の連絡を受けると、携帯電話等の通信手段で仮暗証番号を訪問者に送信して、本人の不在中でも、本人の通常暗証番号を知らせることなくドアロック１７をアンロック可能にする。【選択図】図１
2008082038.tif 000002
【特許請求の範囲】
【請求項１】
電気的にロックされたドアロックを必要時に本人が予め設定し所定の暗証番号を入力してアンロック可能にするドアロック操作方法において、
前記ドアロックのアンロックを希望する者（訪問者）のコンタクトに応じて前記ドアロックをアンロック可能にする仮暗証番号を設定するステップと、
該設定された仮暗証番号を前記訪問者に通知するステップと、
前記訪問者が前記仮暗証番号を使用して前記ドアロックをアンロックしたことを前記本人へ通知するステップと
を備えることを特徴とするドアロック操作方法。
【請求項２】
前記仮暗証番号の設定は、前記本人による携帯電話を含む通信手段によりサービスセンターへ送信して行うことを特徴とする請求項１に記載のドアロック操作方法。
【請求項３】
前記仮暗証番号は、予め決められた有効期間を有し、該有効期間の終了後には自動的に消去されることを特徴とする請求項１又は２に記載のドアロック操作方法。
【請求項４】
ドアロックを管理運営するサービスセンターと契約する１以上の契約者が自己のドアロックの暗証番号メモリに記憶された暗証番号を暗証番号入力部から入力して前記ドアロックをアンロックすると共に前記契約者により許可された訪問者が特定の暗証番号を使用して前記ドアロックをアンロック可能にするドアロックシステムにおいて、
前記契約者が前記サービスセンターと通信する通信手段と、
該通信手段により前記暗証番号メモリに記憶する暗証番号を変更設定する暗証番号設定手段と、
該暗証番号設定手段により前記設定された自己の暗証番号と異なる仮暗証番号を前記訪問者用に設定して前記暗証番号メモリに記憶する仮暗証番号設定手段と、
該仮暗証番号設定手段で設定された前記仮暗証番号を前記訪問者に通知する仮暗証番号通知手段と、
前記訪問者により前記ドアロックがアンロックされたことを前記契約者に通知するアンロック通知手段と
を備えることを特徴とするドアロックシステム。
【請求項５】
前記暗証番号および前記仮暗証番号は、携帯電話網およびインターネット網を含む通信手段により設定することを特徴とする請求項４に記載のドアロックシステム。
【請求項６】
前記仮暗証番号は、前記ドアロックのアンロックを可能にする予め設定された有効期限を有することを特徴とする請求項４又は５に記載のドアロックシステム。
【請求項７】
前記暗証番号メモリの内容の変更は、予め指定されたメールアドレスへ通知されることを特徴とする請求項４、５又は６に記載のドアロックシステム。
【請求項８】
前記有効期限の満了した仮暗証番号は、前記暗証番号メモリから自動的に消去され、前記契約者に通知されることを特徴とする請求項６に記載のドアロックシステム。
【発明の詳細な説明】
【技術分野】
【０００１】
本発明はドアロック操作方法およびドアロックシステムに関し、特に予め設定された暗証番号を使用してドアロックを電気的にロック／アンロック可能にするドアロック操作方法およびドアロックシステムに関する。
【背景技術】
【０００２】
住宅、オフィス、倉庫その他の建物（施設）又は建物内の特定の部屋又は領域にはドアロックを有するドアを設け、内部の人、物品、情報等の保護（セキュリティ）のために許可された特定人以外の第三者の自由な出入りを制限することが一般に行われている。
【０００３】
斯かる目的のため、ドアに設けられた錠（ロック）の鍵穴に鍵（キー）を差し込んでロック／アンロックするのが一般的である。しかし、斯かるメカニカルなドアロックは、ピッキング等により不正操作される虞があり、大きな社会問題となっている。そこで、鍵穴をなくしてピッキング等の不安を排除してセキュリティの高いドアロックシステムとして、暗証番号方式、ＩＣカード方式、指紋照合方式等の種々の電気又は電子的なドアロックシステムが開発され実用化されている。
【０００４】
しかし、暗証番号方式のドアロックシステムにおいて暗証番号が自由に変更できないものは、暗証番号が第三者に知れてしまうとその機能を全く送出する虞れがある。また、ＩＣカード方式のドアロックシステムは、ピッキング等の不安はなくても、従来の鍵の方式と同様にＩＣカードを自己の不注意又は盗難による紛失又は置き忘れの虞れがあり、その場合には、本人さえもアンロック不可能であり、例えば自宅に入れなくなるという事態が起こり得る。
【０００５】
更に、指紋照合方式のドアロックは、上述したＩＣカード方式のように置き忘れや紛失の虞はなく、登録者以外にアンロック（ロック解除）できないので、セキュリティが高い方式であると考えられる。しかしながら、予め登録された管理者以外はアンロックできないという欠点がある。
【０００６】
斯かる欠点の具体例を説明する。例えば非常に親しい知人がかかるドアロックを備える自宅を留守中に訪問してきた場合には、ドアロックをアンロックして家の中に入れたくても入れることができない。また、その知人が初訪問の場合には、その指紋を予め登録することも不可能である。例えば、本人の不在中に田舎の親が急に訪ねてきた場合、事前に到着時間を約束していても、買い物等へ出かけた本人の留守中に、訪問者が約束の時間よりも早く到着した場合又は遠隔地に住む親しい友人が久し振りに出張等でたまたま近くに来たため不意に自宅を訪問する旨を外出先の携帯電話に連絡してきた場合等には、ドアロックをアンロックして、訪問者を自宅に招き入れたいという状況が生じる。しかし、従来のドアロックシステムでは、斯かる事態に迅速且つ効果的に対処不可能である。
【０００７】
尚、上述したドアロックシステムに関連する従来技術は、幾つかの技術文献に開示されている。複数の暗号番号に対してそれぞれアンロック許可時間を割り当て可能な電気錠装置が開示されている（例えば、特許文献１参照。）。また、登録情報とパスワードを関連付けて格納するデータベースを内蔵し、車両の所有者が安全且つ簡単に他人に車両のドアの開錠を許可可能にする車両の錠操作システムが開示されている（例えば、特許文献２参照。）。更に、暗証番号又は人物識別情報を日時情報と共に通信回線により開錠対象の建物に送ることにより鍵の受け渡しのための移動および返却のための移動を不要とする鍵管理方式が開示されている（例えば、特許文献３参照。）。
【０００８】
【特許文献１】実用新案登録第３０４１７２９号公報（第５−６頁、第１図）
【特許文献２】特開２００４−３３９７３７号公報（第６頁、第１図）
【特許文献３】特開平１０−５４１６６号公報（第４頁、第１図）
【発明の開示】
【発明が解決しようとする課題】
【０００９】
本発明は、従来技術の上述した課題に鑑みなされたものであり、外出先から携帯電話等の通信手段で暗証番号メモリに記憶される暗証番号を変更して一時的に有効な仮暗証番号を付加し、その仮暗証番号を訪問者に伝えることで、訪問者を家に入れることを可能とし、通常使用している暗証番号を教える必要をなくしセキュリティを保つことが可能なドアロック操作方法およびドアロックシステムを提供することを目的とする。
【課題を解決するための手段】
【００１０】
本発明のドアロック操作方法およびドアロックシステムは、次の如き特徴的な構成を採用している。
【００１１】
（１）電気的にロックされたドアロックを必要時に本人が予め設定し所定の暗証番号を入力してアンロック可能にするドアロック操作方法において、
前記ドアロックのアンロックを希望する者（訪問者）のコンタクトに応じて前記ドアロックをアンロック可能にする仮暗証番号を設定するステップと、
該設定された仮暗証番号を前記訪問者に通知するステップと、
前記訪問者が前記仮暗証番号を使用して前記ドアロックをアンロックしたことを前記本人へ通知するステップとを備えるドアロック操作方法。
（２）前記仮暗証番号の設定は、前記本人による携帯電話を含む通信手段によりサービスセンターへ送信して行う上記（１）のドアロック操作方法。
（３）前記仮暗証番号は、予め決められた有効期間を有し、該有効期間の終了後には自動的に消去される上記（１）又は（２）のドアロック操作方法。
（４）ドアロックを管理運営するサービスセンターと契約する１以上の契約者が自己のドアロックの暗証番号メモリに記憶された暗証番号を暗証番号入力部から入力して前記ドアロックをアンロックすると共に前記契約者により許可された訪問者が特定の暗証番号を使用して前記ドアロックをアンロック可能にするドアロックシステムにおいて、
前記契約者が前記サービスセンターと通信する通信手段と、
該通信手段により前記暗証番号メモリに記憶する暗証番号を変更設定する暗証番号設定手段と、
該暗証番号設定手段により前記設定された自己の暗証番号と異なる仮暗証番号を前記訪問者用に設定して前記暗証番号メモリに記憶する仮暗証番号設定手段と、
該仮暗証番号設定手段で設定された前記仮暗証番号を前記訪問者に通知する仮暗証番号通知手段と、
前記訪問者により前記ドアロックがアンロックされたことを前記契約者に通知するアンロック通知手段とを備えるドアロックシステム。
（５）前記暗証番号および前記仮暗証番号は、携帯電話網およびインターネット網を含む通信手段により設定する上記（４）のドアロックシステム。
（６）前記仮暗証番号は、前記ドアロックのアンロックを可能にする予め設定された有効期限を有する上記（４）又は（５）のドアロックシステム。
（７）前記暗証番号メモリの内容の変更は、予め指定されたメールアドレスへ通知される上記（４）、（５）又は（６）のドアロックシステム。
（８）前記有効期限の満了した仮暗証番号は、前記暗証番号メモリから自動的に消去され、前記契約者に通知される上記（６）のドアロックシステム。
【発明の効果】
【００１２】
本発明のドアロック操作方法およびドアロックシステムによると、次の如き実用上の顕著な効果を奏する。先ず、ドアロックの暗証番号を携帯電話等の通信手段により自由に設定すると共に必要に応じてその変更が可能である。更に、本人の不在中に不意の来客（訪問者）があった場合でも、この来客に対して予め設定可能な期間限定（有効期限を有する）の仮（又は臨時）暗証番号を設定して来客に送信することにより、この期間内であれば来客のためにドアロックをアンロック可能である。また、本人が設定した仮暗証番号や来客によるドアロックのアンロックを所定のメールアドレスへ通知して確認することが可能であり、信頼性を大幅に改善できる。
【発明を実施するための最良の形態】
【００１３】
以下、本発明によるドアロック操作方法およびドアロックシステムの好適な実施の形態の構成および動作を、添付図面を参照して詳細に説明する。
【００１４】
先ず、図１は、本発明によるドアロックシステムの好適な実施の形態の構成を示すブロック図である。このドアロックシステム１０は、アンテナ１１、送受信部１２、制御部であるＣＰＵ（中央処理装置）１３、ＲＯＭ（読み出し専用メモリ）１４、暗証番号メモリ１５、時計１６、キーロック部１７および暗証番号入力部１８により構成されている。
【００１５】
ここで、ドアロックシステム１０のＣＰＵ１３には、送受信部１２、ＲＯＭ１４、暗証番号メモリ１５、時計１６およびキーロック部１７が接続されている。また、送受信部１２には、アンテナ１１が接続されている。
【００１６】
このドアロックシステム１０は、図１中に点線で示す如く、ドアの内側（例えば、屋内）とドアの外側（例えば、屋外）に分割又は分離されている。そして、ドアの内側に入る操作者が自己に設定された暗証番号を入力するため、暗号番号入力部１８はドアの外側の適当な固定部材に取り付けられて配置されている。
【００１７】
上述の如く、ドアロックシステム１０のドアの内側（屋外）にはＣＰＵ１３を搭載しており、このＣＰＵ１３は、ドアロックシステム１０を構成する各部１２〜１８と電気的に接続されている。このうちＲＯＭ１４は、ＣＰＵ１３が実行するための各種の制御用プログラム等を格納した読み出し専用メモリである。キーロック部１７は、ドアを確実にロックする、即ち正常にアンロックされない限り被許可者以外の第三者が内部へ入るのを阻止する機械的な部分（メカニズム）である。
【００１８】
時計１６は、現在時刻、即ち年、月、日、時、分および秒を表すものである。暗証番号メモリ１５は、不揮発性メモリであり、被許可者に予め設定・登録した暗証番号が記憶されている。操作者により暗証番号入力部１８から暗証番号が入力されると、この入力された暗証番号と暗証番号メモリ１５に記憶されている暗証番号がＣＰＵ１３により比較される。両方の番号が一致した場合には、キーロック部１７がドアをアンロックし、ドアが開放可能になり、このドアを通って内部へ入ることが可能である。
【００１９】
一方、送受信部１２は、例えば携帯電話網に接続可能である。送受信部１２がアンテナ１１を介して暗証番号の変更を受信すると、その内容を暗証番号メモリ１５に記憶することができ、外出先から携帯電話等の通信手段を使用することにより、暗証番号の変更、追加等を可能にする。
【００２０】
次に、図１〜図５を参照して、図１に示す本発明のドアロックシステム１０の好適な実施の形態の動作を説明する。図２は、図１中に示す暗証番号メモリ１５の具体例を示す説明図である。図３は、暗証番号設定画面の具体例である。図４は、訪問者に対して送信されるメールの具体例である。図５は、ドアロックの管理者である本人宛にドアロックシステムから送信されるメールの具体例である。
【００２１】
先ず、図２を参照して図１のドアロックシステム１０の構成素子である暗証番号メモリ１５の記憶内容（データ）の具体例を説明する。この暗証番号メモリ１５には、図２に示す如く、複数のメモリ番号１５ａに対応してその条件１５ｂおよび暗証番号１５ｃが対として記憶されている。図２に示す具体例では、メモリ番号１には、条件が「通常」となっており、これは本人（例えば、居住者）がそのドアロックの操作に通常使用している暗証番号（通常暗証番号）であることを表している。そして、その暗証番号「１２３４」であるので、図１の暗証番号入力部１８からこの暗証番号「１２３４」が入力されると、キーロック部１７がアンロック（又は解除）されドアを開くことができる。
【００２２】
尚、この具体例では暗証番号が４桁の数字であるが、必ずしも４桁の数字に限定されず、また数字以外の記号を含んでも良いこと勿論である。更に、１人住まいのアパートの如く、通常の利用者が１人の場合は、図２の如く例えばメモリ番号１に１個の通常暗証番号を設定すれば足りるが、居住者一般の家屋の如く複数の居住者がいる場合には、各居住者にそれぞれ個別の通常暗証番号が設定・付与される。
【００２３】
次に、図２および図３を参照して、本発明のドアロックシステムにおける暗証番号の設定方法を説明する。図３は、本人が外出先から携帯電話やＰＣ（パーソナルコンピュータ）等の通信手段からインターネットを介してドアロックシステム１０のサーバ（図示せず）にアクセスした際の仮（又は臨時）暗証番号を設定するための暗証番号設定画面の具体例を示す。
【００２４】
先ず、仮暗証番号の設定者は、自分のＩＤおよびパスワード（Password）を入力する。そして、設定したい期間（又は時間）を入力する。図３に示す具体例では、メモリ番号２に日付「２００６年１月１日」と時間「１１：００（午前１１時）乃至１７：００（午後５時）」を設定している。尚、毎日使用することを意味する「通常」状態に設定したい場合は、ここの欄を「通常」に設定すれば良い。この具体例では、仮暗証番号を「５６７８」に設定しているので、この暗証番号を図１に示す暗証番号入力部１８から入力すると、上記の指定期間に限り、ドアロック部１７のロックがアンロック可能であることを表す。
【００２５】
また、送信先メールアドレスとして、送信先として送信を受けたい人の１以上のアドレスを入力する。この具体例では送信先として「ｙａｍａｄａ＠ｔａｒｏ．ｎｅ．ｊｐ」（例えば、本人）および「ｙａｍａｄａ＠ｈａｎａｋｏ．ｎｅ．ｊｐ」（例えば、ドアロックのキーロック部１７をアンロックして入室を希望する知人）のメールアドレスを入力することにより、本人および知人（訪問者）に図４の如き内容のメールが送信される。即ち、宛先が「ｙａｍａｄａ＠ｈａｎａｋｏ．ｎｅ．ｊｐ」であり、設定期間が２００６年１月１日の１１：００乃至１７：００であり、仮暗証番号が「５６７８」である。
【００２６】
このメールを受信することにより、設定者である「本人」は、仮暗証番号が正常に追加されたことを確認することが可能である（万一、設定に誤りがある場合には、設定を訂正することが可能である）。また、被設定者である「知人」は、このメールを受信することにより、ドアロックのキーロック部１７の「アンロック可能時間」および「暗証番号」を確認することが可能である。必要に応じて、本文中に簡単なメッセージ等を付加することも可能である。
【００２７】
この暗証番号の追加データは、図１のドアロックシステム１０にも送信され、図２のメモリ番号２に条件「２００６年１月１日の１１：００乃至１７：００」および仮暗証番号「５６７８」が暗証番号メモリ１５に記憶される。設定された上記期間中には、ドアロックシステム１０のキーロック部１７のアンロックに暗証番号「１２３４」および「５６７８」の両方が使用可能になる。
【００２８】
上述の如く、「本人」の不在時に、例えば「知人」から不意に訪問する旨の連絡があり、自宅で待っていて欲しい場合には、この「知人」に対してメールにてその旨を通知してキーロック部１７を一時的にアンロック可能にする「仮暗証番号」を暗証番号メモリ１５に追加することが可能である。そして、この「知人」が到着して、暗証番号入力部１８からこの仮暗証番号「５６７８」を所定期間内に入力すると、キーロック部１７がアンロックされ、屋内又は室内に入ることが可能となる。ここで、本人は、自分で常時使用中である暗証番号メモリ１５のメモリ番号１に記憶されている自己の通常暗証番号を、この「知人」を含め他人に何ら通知する必要がなく且つこの「知人」に通知した「仮暗証番号」は、上記設定された一定期間のみ有効であり、その後は自動的に消去されて無効になるので、セキュリティが確保できることに注目されたい。
【００２９】
次に、図５は、ドアロック（のキーロック部１７）がアンロックされたことを通知するメールの具体例である。何人かにより暗証番号入力部１８から仮暗証番号「５６７８」が入力されると、その時の日付および時間の情報（図示の具体例では、２００６年１月１日１３：３２）が時計１６から読み出される。そして、１３時３２分に仮暗証番号「５６７８」でドアロックがアンロックされた旨のメールが送受信部１２およびアンテナ１１を介して、例えば携帯電話網経由で送出される。これにより「本人」は、「知人」がこの時間に家に到着してドアロックをアンロックしたことを確認可能である。
【００３０】
尚、図２に示す暗証番号メモリ１５のメモリ番号２の内容、即ち仮暗証番号は、２００６年１月１日の時刻１７：００（午後５時）を過ぎると、ＣＰＵ１３により暗証番号メモリ１５から自動的に削除される。従って、その時刻以後は、この仮暗証番号は使用不能になり、例え「知人」又は他人がこの仮暗証番号「５６７８」を暗証番号入力部１８から入力してもドアロックをアンロックすることが不可能になる。
【００３１】
以上詳細に説明した如く、本発明のドアロック操作方法およびドアロックシステムによれば、管理者である「本人」が外出先から、携帯電話等の通信手段により自宅のドアロックシステム１０の暗証番号を自由に設定可能であり、不意の来客があっても、自己の通常暗証番号を知らせることなく、期間限定の仮暗証番号を追加することにより、本人の不在中であっても許可された来客を自宅に招き入れることが可能である。また、自己の通常暗証番号の変更や追加を外出先から携帯電話等の通信手段により自由に行うことが可能である。
【００３２】
図１のドアロックシステム１０の送受信部１２は、携帯電話網に接続可能な携帯電話の送受信部として説明した。しかし、本発明は、携帯電話に限らずＰＨＳ（Personal Handy‐phone System）等でも良い。しかし、携帯電話、ＰＨＳのどちらも使用料金が発生するため、無線ＬＡＮの使用も考えられる。自宅のＰＣにおいて契約しているインターネット接続があれば、追加の料金が発生することがない無線ＬＡＮを使用することができる。更に、無線ではなく有線の場合として、ＬＡＮケーブルによりインターネットに接続しても良い。
【００３３】
次に、図６および図７を参照して、本発明によるドアロックシステムを採用するホームドアロックシステムの具体例を説明する。図６は、ホームドアロックシステムのシステム構成図である。図７は、図６の各部の動作を説明するシーケンス図又はフローチャートである。
【００３４】
図６のホームドアロックシステム２０は、インターネット網２１、複数の基地局２３を含む携帯電話網２２、サービスセンター２４、契約者の携帯電話２５、訪問者の携帯電話２６ドアロックシステム２７ａを備えるホーム（家屋）２７により構成されている。そして、携帯電話網２２、サービスセンター２４およびホーム２７はインターネット２１に電気的に接続されている。
【００３５】
次に、図７のシーケンス図を参照して、図６に示すホームドアロックシステム２０中の契約者の携帯電話２５、サービスセンター２４、ドアロックシステム（ホーム）２７および訪問者携帯電話２６間の動作手順を説明する。
【００３６】
先ず、契約者の携帯電話２５は、携帯電話網２２の基地局２３及びインターネット網２１を介してサービスセンター２４のホームページに接続する（ステップＳ１）。そして、契約者は、自己の携帯電話２５を使用して、上述した図３の画面によりドアロックシステムの変更・追加情報を入力する（ステップＳ２）。ここで入力する項目は、上述の如く契約者のＩＤ、パスワード、設定時間等の条件、暗証番号，設定内容を送信する送信先メールアドレスである。
【００３７】
次に、サービスセンター２４は、ＩＤおよびパスワードが登録内容と一致するか否かを確認、即ち認証する（ステップＳ３）。この認証が一致した場合には、該当するドアロックシステムの設定変更を行う（ステップＳ４）。サービスセンター２４とドアロックシステム２７間の通信方法は、図６のサービスセンター２４からインターネット網２１および携帯電話網２２を介してドアロックシステム２７と通信する。尚、サービスセンター２４からインターネット網２１を介して、ＡＤＳＬ（Asymmetric Digital Subscriber Line）、ＦＴＴＨ(Fiber-to-the Home)により通信しても良い。土の方法により通信するかは、ホームドアロックシステム２０の契約者およびサービスセンター２４間の契約内容による。
【００３８】
次に、サービスセンター２４からの設定変更指示によりドアロックシステム２７が暗証番号メモリ（図１の暗証番号メモリ１５参照）の変更を行うと、設定完了通知をサービスセンター２４へ通知する（ステップＳ５）。サービスセンター２４は、この設定完了通知を受けて、図３で指定された送信先である、例えば契約者の携帯電話２５および訪問者の携帯電話２６に、図４に示す如きメールを送信する（ステップＳ６）。
【００３９】
図４に示す如きメールを受け取り確認した訪問者は、ドアロックシステム２７の暗礁番号入力部（図１の暗証番号入力部１８参照）から暗証番号（例えば、「５６７８」）を入力することによりドアロック（図１のキーロック部１７）を、所定条件下（設定された時間内）でアンロック可能である。
【００４０】
次に、図７のシーケンス図の下側の記載に基づき、ドアロックがアンロックされた後の動作を説明する。ドアロックがアンロックされると、開錠（アンロック）通知がドアロックシステム２７からサービスセンター２４へ送られる（ステップＳ７）。そこで、サービスセンター２４は、図５に示す如きアンロック情報を含むアンロック通知を契約者の携帯電話２５へ送信する（ステップＳ８）。このアンロック通知で契約者の携帯電話２５へ送信されるアンロック情報は、例えばアンロックの日時、アンロックに使用された暗証番号である。このメールにより、契約者は、訪問者のホームへの到着を確認することが可能である。
【００４１】
ここで、訪問者の暗証番号は、図２に示す如く、暗礁番号メモリ１５のメモリ番号２に、例えば２００６年１月１日の１７：００の有効期限が設定されている。この有効期限が到来すると、暗証番号メモリ１５のメモリ番号２の内容は、ＣＰＵ１３の制御下で自動的に消去される。従って、その有効期限後の暗証番号「５６７８」は、使用不能になる。そこで、ドアロックシステム２７から暗証番号メモリのメモリ内容の変更（即ち、メモリ番号の内容削除）をサービスセンター２４へ送信する（ステップＳ９）。次に、サービスセンター２４は、契約者の携帯電話２５へこのメモリ内容変更通知を行う（ステップＳ１０）。
【００４２】
以上、本発明によるドアロック操作方法およびドアロックシステムの好適な実施の形態の構成および動作を詳述した。しかし、斯かる実施の形態は、本発明の単なる例示に過ぎないことに留意されたい。本発明の養子や精神を逸脱することなく、特定用途に応じて種々の変形および変更が可能であることが当業者には容易に理解できよう。また、本発明は、他人の自由な出入りを禁止するホーム（自宅）、事務所、倉庫等の種々の建物やこれら建物の１区域である部屋のドア（扉）に取り付ける暗証番号方式のドアロックシステムに応用可能である。また、乗用車その他の車両等のドアにも応用可能である。
【図面の簡単な説明】
【００４３】
【図１】本発明によるドアロックシステムの好適な実施の形態の構成を示すブロック図である。
【図２】図１中の暗証番号メモリに記憶されるデータの具体例の説明図である。
【図３】図１に示すドアロックシステムによる暗証番号設定動作を説明する設定画面の具体例を示す。
【図４】図３の設定画面により設定された仮暗証番号の設定確認画面の具体例である。
【図５】ドアロックシステムのドアロックがアンロックされた際のアンロック通知画面の具体例である。
【図６】本発明のドアロックシステムによるホームドアロックシステムの好適実施の形態のシステム構成を示すブロック図である。
【図７】図６に示すホームドアロックシステムの動作を説明するシーケンス図である。
【符号の説明】
【００４４】
１０  ドアロックシステム
１１  アンテナ
１２  送受信部
１３  制御部（ＣＰＵ）
１５  暗証番号メモリ
１６  時計
１７  キーロック部（ドアロック）
１８  暗証番号入力部
２０  ホームドアロックシステム
２１  インターネット網
２２  携帯電話網
２４  サービスセンター
２５  契約者の携帯電話
２６  訪問者の携帯電話
２７  ドアロックシステム（ホーム）
【図１】
2008082038.tif 000003
【図２】
2008082038.tif 000004
【図３】
2008082038.tif 000005
【図４】
2008082038.tif 000006
【図５】
2008082038.tif 000007
【図６】
2008082038.tif 000008
【図７】
2008082038.tif 000009